(57)【要約】【課題】ヘッド位置決め精度を向上させることができるディスクドライブ装置を提供する。【解決手段】キャリッジ駆動機構により回動するキャリッジアーム１３のいずれかの部分が重なるディスク６ａ，６ｂの外周の円弧部分近傍に設けられており、回動するキャリッジアーム１３およびヘッド部の挿入を妨げず、ディスク外周の円弧と同心で、かつ、半径がディスク６ａ，６ｂの外周の円弧より大きい円弧形状に形成されているガイド部を有していて、ケース２の内壁３ａの一部を構成してディスク６ａ，６ｂの外周を覆うガイド壁１００を備える。これにより、キャリッジアーム１３の挿入付近でのディスク回転による流れをガイド壁１００のガイド部によってガイドすることにより、キャリッジアーム１３を横切る流れを抑制してキャリッジアーム１３の振動を押さえることができるので、ヘッド位置決め精度を向上させることができる。【選択図】        図３
2007164846.tif 000002
【特許請求の範囲】
【請求項１】
モータにより回転駆動されて情報を記録するディスクと、
このディスクの外周の円弧と同心で、かつ、半径が前記ディスク外周の円弧より大きい円弧形状に形成されていて前記ディスク外周を覆う内壁を有していて、前記ディスクを収納するケースと、
前記ディスクに記録された前記情報を再生または情報を記録するためのヘッド部を支持したキャリッジアームと、
このキャリッジアームを前記ディスク半径方向に回動および位置決めするキャリッジ駆動機構と、
このキャリッジ駆動機構により回動する前記キャリッジアームのいずれかの部分が重なる前記ディスク外周の円弧部分近傍に設けられており、回動する前記キャリッジアームおよび前記ヘッド部の挿入を妨げず、前記ディスクの外周の円弧と同心で、かつ、半径がディスク外周の円弧より大きい円弧形状に形成されているガイド部を有していて、前記内壁の一部を構成して前記ディスクの外周を覆うガイド壁と、
を備えることを特徴とするディスクドライブ装置。
【請求項２】
前記ガイド壁の任意の点と前記ディスク中心を結んだ直線と、前記ディスク回転軸を含む平面で切り取られる前記ガイド部の断面は、前記ディスクに対して反対側に膨らんだ湾曲形状に形成されている、
ことを特徴とする請求項１記載のディスクドライブ装置。
【請求項３】
前記ガイド壁の任意の点と前記ディスク中心を結んだ直線と、前記ディスク回転軸を含む平面で切り取られる前記ガイド部の断面は、前記ディスクに対して反対側に膨らんだコの字形状に形成されている、
ことを特徴とする請求項１記載のディスクドライブ装置。
【請求項４】
前記ガイド部の前記ディスク側の表面を、面粗度Ｒａ ２５ａ以上の粗面とする、
ことを特徴とする請求項１ないし３のいずれか一記載のディスクドライブ装置。
【請求項５】
前記ガイド部の前記ディスク側の表面を、１０μｍ以上の高さを持つ複数の突起を有した構造とする、
ことを特徴とする請求項１ないし３のいずれか一記載のディスクドライブ装置。
【請求項６】
前記ガイド壁は、前記ヘッド部が通過する部分は前記ガイド部の幅を、前記キャリッジアームが通過する部分は前記ガイド部の幅に比べて大きくした、
ことを特徴とする請求項１ないし５のいずれか一記載のディスクドライブ装置。
【発明の詳細な説明】
【技術分野】
【０００１】
本発明は、ディスクドライブ装置に係り、特に、ディスクドライブ装置、例えば、ＨＤＤ装置（ハードディスクドライブ装置）のケーシングの改良に関する。
【背景技術】
【０００２】
近年の情報処理技術の急速な発展に伴い、ディスクドライブ装置、例えば、ＨＤＤ装置（ハードディスクドライブ装置）においても、記録媒体（ディスク）の記録密度の向上並びに記録媒体（ディスク）への記録速度の向上がますます求められている。このため記録媒体（ディスク）を検索する記録ヘッドの位置決め精度が非常に重要な問題となっている。
【０００３】
しかしながら、ディスクドライブ装置内の狭い空間でディスクが高速回転されるため、内部の空気流速が最大数十ｍ／ｓ以上になっている箇所があり、風乱と呼ばれる内部の気流の乱れがヘッド位置決め精度に大きな影響を与えている。
【０００４】
そこで、このような問題を解決すべく、各部品形状を変えて問題を回避するようにしているが、今後さらに高速化・高密度化が進むことが予想され、風乱を低減し、位置決め精度を向上することが必要とされている。
【０００５】
特許文献１には、記録媒体としてのディスクに略平行に円形の整流板をケース内に設け、ディスクフラッタと称されるディスクのばたつきを防ぎ、ヘッドの位置決め精度を向上させる手法が提案されている。
【０００６】
また、特許文献２には、ディスク表面に沿って生成される気流の乱れをランプ部材と一体化させた整流板によって抑制する手法が提案されている。
【０００７】
【特許文献１】特開２００４−１８５６６６号公報
【特許文献２】特開２００４−１７１６７４号公報
【発明の開示】
【発明が解決しようとする課題】
【０００８】
ところで、数値解析の結果によれば、回転しているディスクにより磁気ヘッドを支持したキャリッジを横切る流れが発生し、キャリッジを振動させているという結果が得られている。前述したような特許文献１および２に提案された手法では、この流れを抑制することは困難である。
【０００９】
本発明は、上記に鑑みてなされたものであって、ディスク回転によりキャリッジアームを横切る流れ、すなわちキャリッジアームにかかる流体力を抑制してキャリッジアームの振動を押さえることができ、ヘッド位置決め精度を向上させることができるディスクドライブ装置を提供することを目的とする。
【課題を解決するための手段】
【００１０】
上述した課題を解決し、目的を達成するために、本発明は、モータにより回転駆動されて情報を記録するディスクと、このディスクの外周の円弧と同心で、かつ、半径が前記ディスク外周の円弧より大きい円弧形状に形成されていて前記ディスク外周を覆う内壁を有していて、前記ディスクを収納するケースと、前記ディスクに記録された前記情報を再生または情報を記録するためのヘッド部を支持したキャリッジアームと、このキャリッジアームを前記ディスク半径方向に回動および位置決めするキャリッジ駆動機構と、このキャリッジ駆動機構により回動する前記キャリッジアームのいずれかの部分が重なる前記ディスク外周の円弧部分近傍に設けられており、回動する前記キャリッジアームおよび前記ヘッド部の挿入を妨げず、前記ディスクの外周の円弧と同心で、かつ、半径がディスク外周の円弧より大きい円弧形状に形成されているガイド部を有していて、前記内壁の一部を構成して前記ディスクの外周を覆うガイド壁と、を備える。
【発明の効果】
【００１１】
本発明によれば、キャリッジアーム挿入付近でのディスク回転による流れをガイド部によってガイドすることにより、ディスク回転によりキャリッジアームを横切る流れ、すなわちキャリッジアームにかかる流体力を抑制してキャリッジアームの振動を押さえることができるので、ヘッド位置決め精度を向上させることができるという効果を奏する。
【発明を実施するための最良の形態】
【００１２】
以下に添付図面を参照して、この発明にかかるディスクドライブ装置の最良な実施の形態を詳細に説明する。
【００１３】
［第１の実施の形態］
本発明の第１の実施の形態を図１ないし図８に基づいて説明する。本実施の形態はディスクドライブ装置としてハードディスクドライブ装置（以下、ＨＤＤと称する）を適用した例である。
【００１４】
図１は、本発明の第１の実施の形態にかかるＨＤＤ１の内部を示す平面図、図２はＨＤＤ１の内部構造を示す断面図である。図１および図２に示すように、ＨＤＤ１は、ケース２内に配設された記憶媒体である磁気ディスク６ａ，６ｂ、磁気ディスク６ａ，６ｂを支持および回転駆動するスピンドルモータ５、磁気ヘッド部７を支持したキャリッジアッセンブリ８、キャリッジアッセンブリ８を駆動するボイスコイルモータ（以下ＶＣＭと称する）９、基板ユニット１１等を備えている。
【００１５】
ケース２は、磁気ディスク６ａ，６ｂと略同形状に形成された円形の内壁３ａを有しているとともに上面の開口した矩形箱状のベース３と、複数のねじによりベースにねじ止めされてベースの上端開口を閉塞したトップカバー４と、を有している。ケース２内には、ベース３の底部３ｂに取り付けられたスピンドルモータ５と、このスピンドルモータ５によって支持および回転駆動される２枚の磁気ディスク６ａ，６ｂとが配設されている。
【００１６】
内壁３ａは、より詳細には、磁気ディスク６ａ，６ｂの外周の円弧と同心で、かつ、半径が磁気ディスク６ａ，６ｂの外周の円弧より大きい円弧形状に形成されていて磁気ディスク６ａ，６ｂの外周を覆う。
【００１７】
また、ケース２内には、磁気ディスク６ａ，６ｂに対して情報の記録、再生を行なう複数の磁気ヘッド部７、これらの磁気ヘッド部７を磁気ディスク６ａ，６ｂに対して移動自在に支持したキャリッジアッセンブリ８、キャリッジアッセンブリ８をディスク半径方向に回動および位置決めするキャリッジ駆動機構を構成するＶＣＭ９、磁気ヘッド部７が磁気ディスク６ａ，６ｂの最外周に移動した際、磁気ヘッド部７を磁気ディスク６ａ，６ｂから離間した退避位置に保持するランプロード機構１０、およびプリアンプ等を有する基板ユニット１１が収納されている。
【００１８】
すなわち、ケース２内は、磁気ディスク６ａ，６ｂを収納するディスク収納部２ａと、キャリッジアッセンブリ８を収納するキャリッジ収納部２ｂとから構成されている。なお、ケース２のベース３においては、キャリッジアッセンブリ８を磁気ディスク６ａ，６ｂ上に挿入させるために、内壁３ａが設けられていない箇所Ｘがある。つまり、この内壁３ａが設けられていない箇所Ｘは、ディスク収納部２ａとキャリッジ収納部２ｂとの境界に位置することになる。
【００１９】
また、特に図示しないが、ベース３の底部３ｂ外面には、基板ユニット１１を介してスピンドルモータ５、ＶＣＭ９、および磁気ヘッド部７の動作を制御するプリント回路基板がねじ止めされている。
【００２０】
図１および図２に示すように、キャリッジアッセンブリ８は、ベース３の底部３ｂ上に固定された軸受部１２と、軸受部１２から延出した複数のキャリッジアーム１３と、を備えている。これらのキャリッジアーム１３は、磁気ディスク６ａ，６ｂの表面と平行に、かつ、互いに所定の間隔を置いて位置しているとともに、軸受部１２から同一の方向へ延出している。また、キャリッジアッセンブリ８は、弾性変形可能な細長い板状のサスペンション１４を備えている。サスペンション１４は、板ばねにより構成され、その基端がスポット溶接あるいは接着によりキャリッジアーム１３の先端に固定され、キャリッジアーム１３から延出している。なお、各サスペンション１４は対応するキャリッジアーム１３と一体に形成されていてもよい。サスペンション１４の延出端には磁気ヘッド部７が取り付けられている。
【００２１】
磁気ヘッド部７は、ほぼ矩形状のスライダとこのスライダに形成された記録再生用のＭＲ（磁気抵抗）ヘッドとを有し（いずれも図示せず）、サスペンション１４の先端部に形成されたジンバル部（図示せず）に固定されている。それぞれサスペンション１４に取り付けられた４つの磁気ヘッド部７は、２個ずつ互いに向かい合って位置し、各磁気ディスク６ａ，６ｂを両面側から挟むように配設されている。
【００２２】
キャリッジアッセンブリ８は、軸受部１２からキャリッジアーム１３と反対の方向へ延出した支持枠１５を有し、この支持枠１５により、ＶＣＭ９の一部を構成するボイスコイル１６が支持されている。支持枠１５は、合成樹脂によりボイスコイル１６の外周に一体的に成形されている。ボイスコイル１６は、ベース３上に固定された一対のヨーク１７間に位置し、これらのヨーク１７、および一方のヨーク１７に固定された図示しない磁石とともにＶＣＭ９を構成している。そして、ボイスコイル１６に通電することにより、軸受部１２の回りでキャリッジアッセンブリ８が回動し、磁気ヘッド部７は磁気ディスク６ａ，６ｂの所望のトラック上に移動および位置決めされる。
【００２３】
ランプロード機構１０は、ベース３の底部３ｂに設けられているとともに磁気ディスク６ａ，６ｂの外側に配置されたランプ１８と、各サスペンション１４の先端から延出したタブ１９と、を備えている。キャリッジアッセンブリ８が回動し、磁気ヘッド部７が磁気ディスク６ａ，６ｂの外側の退避位置まで回動する際、各タブ１９は、ランプ１８に形成されたランプ面と係合し、その後、ランプ面の傾斜によって引き上げられ、磁気ヘッド部７をアンロードする。
【００２４】
図１および図２に示すように、磁気ディスク６ａ，６ｂは、例えば直径６５ｍｍ（２．５インチ）に形成され、その中央部に内孔２０を有し、上面および下面に磁気記録層を有している。スピンドルモータ５は、ロータとして機能するハブ２１を備え、このハブ２１に、２枚の磁気ディスク６ａ，６ｂが互いに同軸的に嵌合され、ハブ２１の軸方向に沿って所定の間隔をおいて積層されている。そして、磁気ディスク６ａ，６ｂは、スピンドルモータ５により所定の速度でハブ２１と一体に回転駆動される。
【００２５】
詳細に説明すると、スピンドルモータ５のハブ２１は上端が閉塞した円筒状に形成されている。ハブ２１の内側には、スピンドル軸２２が同軸的かつハブ２１と一体的に設けられている。また、ベース３の底部３ｂには、ケース２の内側に向かって突出した円筒部２３が一体に形成され、この円筒部２３の内周に軸受部２４が嵌合されている形成されている。そして、スピンドル軸２２は軸受部２４に挿入された状態で回転自在に支持されている。これにより、ハブ２１は、ケース２内の所定位置に配置されている。軸受部２４の外周部にはステータ２５が設けられ、また、ハブ２１の内周には磁石２６が同軸的に設けられステータ２５と隙間を置いて対向している。
【００２６】
ハブ２１の下端部外周には、フランジ状のディスク受け部２７が形成されている。２枚の磁気ディスク６ａ，６ｂは、その内孔２０にハブ２１が挿通された状態でハブ２１の外周面に嵌合され、ディスク受け部２７上に積層されている。
【００２７】
また、ハブ２１の外周にはスペーサリング２８が嵌合され、磁気ディスク６ａ，６ｂ間に挟まれた状態で積層されている。また、ハブ２１の上端面は、ねじ２９によってディスククランパ３０がねじ止めされている。このディスククランパ３０の外周部は上段の磁気ディスク６ａの中央部上面に当接し、２枚の磁気ディスク６ａ，６ｂおよびスペーサリング２８をハブ２１のディスク受け部２７に向かって押圧している。それにより、磁気ディスク６ａ，６ｂおよびスペーサリング２８は、ディスク受け部２７とディスククランパ３０との間に挟持され、互いに密着した状態でハブ２１に固定保持されている。そして、ディスククランパ３０は、ハブ２１および磁気ディスク６ａ，６ｂと一体に回転駆動される。
【００２８】
このような構成により、ＨＤＤ１は、磁気ディスク６ａ，６ｂをスピンドルモータ５で高速に回転させるとともに、磁気ヘッド部７を備えたキャリッジアッセンブリ８（キャリッジアーム１３）をＶＣＭ９によりディスク半径方向に回動および位置決めすることにより、磁気ヘッド部７で磁気ディスク６ａ，６ｂに対してデータを読み書きすることが可能になっている。
【００２９】
ところで、前述したように、本実施の形態のケース２のベース３においては、キャリッジアッセンブリ８（キャリッジアーム１３）を磁気ディスク６ａ，６ｂ上に挿入させるために、内壁３ａが設けられていない箇所Ｘがある。そのため、磁気ディスク６ａ，６ｂの高速回転により発生する空気の流れが、ディスク収納部２ａからキャリッジ収納部２ｂへと流れ込むことになる。この空気流れは、磁気ディスク６ａ，６ｂ上に回動したキャリッジアッセンブリ８のキャリッジアーム１３の長手方向を横切るように流れることになるので、この流れより受ける力がキャリッジアッセンブリ８のキャリッジアーム１３を振動させる要因の一つとなっている。
【００３０】
そこで、本実施の形態においては、図３の概略平面図に示すように、内壁３ａが設けられていない箇所Ｘ（すなわち、回動するキャリッジアーム１３のいずれかの部分が重なるディスク６ａ，６ｂの外周の円弧部分近傍）に、回動するキャリッジアーム１３およびヘッド部７の挿入を妨げず、内壁３ａの一部を構成してディスクク６ａ，６ｂの外周を覆うガイド壁１００を設けている。このようなガイド壁１００について、以下において詳述する。
【００３１】
ここで、図４はガイド壁１００を示す概観斜視図、図５はガイド壁１００を取り付けた状態を示す斜視図である。図４および図５に示すように、ガイド壁１００は、各磁気ディスク６ａ，６ｂにそれぞれ対応するガイド部１００ａ，１００ｂを備えている。これらの各ガイド部１００ａ，１００ｂは、磁気ディスク６ａ，６ｂの外周の円弧と同心で、かつ、半径がディスク外周の円弧より大きい円弧形状に形成されている。各ガイド部１００ａ，１００ｂは、その両端に、ベース３の内壁３ａにより支持される支持部１０１ｃを有している。この支持部１０１ｃは、各ガイド部１００ａ，１００ｂの位置決めも行っており、各ガイド部１００ａ，１００ｂ間をキャリッジアッセンブリ８のキャリッジアーム１３や磁気ヘッド部７の挿入を妨げない距離に規定している。このようなガイド壁１００が設置される位置、すなわちガイド壁１００のディスク回転軸方向の位置は、磁気ディスク６ａ，６ｂのディスク外周と略同位置である。
【００３２】
図６は、図３のＡ−Ｂにおける断面図である。図３に示すように、ガイド壁１００の任意の点と磁気ディスク６ａ，６ｂ中心を結んだ直線と、磁気ディスク６ａ，６ｂの回転軸を含む平面で切り取られる各ガイド部１００ａ，１００ｂの断面は、自転車のマッドガードと同様に、磁気ディスク６ａ，６ｂに対して反対側に膨らんだ湾曲形状に形成されている。ガイド壁１００の各ガイド部１００ａ，１００ｂの材質や厚みは、流体より受ける力で変形しないように選択・設計されればよいが、このように湾曲形状にすることで剛性を高める効果もある。
【００３３】
このようなガイド壁１００を内壁３ａが設けられていない箇所Ｘに設けることにより、磁気ディスク６ａ，６ｂの高速回転により発生する空気の流れを、ガイド壁１００の各ガイド部１００ａ，１００ｂに沿わせることができるので、磁気ディスク６ａ，６ｂのディスク外周に沿った流れにガイドすることができる。これにより、キャリッジアッセンブリ８のキャリッジアーム１３を横切る空気の流れの速度を大きく低減することができる。
【００３４】
なお、図７に示すように、ガイド壁１００の各ガイド部１００ａ，１００ｂを、挿入されるキャリッジアッセンブリ８を妨げない程度に磁気ディスク６ａ，６ｂを覆うような形状にすることにより、流れの整流効果を高めることが可能である。
【００３５】
また、図８に示すように、ガイド壁１００の各ガイド部１００ａ，１００ｂの断面は、磁気ディスク６ａ，６ｂに対して反対側に膨らんだコの字形状であっても、同等の効果を得ることができる。
【００３６】
このように本実施の形態によれば、キャリッジアーム１３の挿入付近でのディスク回転による流れをガイド部１００ａ，１００ｂによってガイドすることにより、ディスク回転によりキャリッジアーム１３を横切る流れ、すなわちキャリッジアーム１３にかかる流体力を抑制してキャリッジアーム１３の振動を押さえることができるので、ヘッド位置決め精度を向上させることができる。
【００３７】
なお、本実施の形態においては、２枚の磁気ディスク６ａ，６ｂを備えた構成について説明したが、磁気ディスクの枚数は必要に応じて増減可能である。本実施の形態においては、ガイド壁１００の両端の支持部１０１ｃでベース３の内壁３ａにより支持できる構造を有することで、ディスクの枚数によってガイド部を増やすだけで同様の効果を得ることが可能である。
【００３８】
［第２の実施の形態］
次に、本発明の第２の実施の形態を図９および図１０に基づいて説明する。なお、前述した第１の実施の形態と同じ部分は同じ符号で示し説明も省略する。
【００３９】
図９は、本実施の形態にかかるガイド壁１００を示す斜視図である。図９に示すように、本実施の形態のガイド壁１００は、各ガイド部１００ａ，１００ｂの磁気ディスク６ａ，６ｂ側の面を、面粗度Ｒａ ２５ａ以上の粗面としたものである。より具体的には、１０μｍ以上の高さを持つ複数の突起を有した構造としたものである。
【００４０】
このような１０μｍ程度の凹凸により、各ガイド部１００ａ，１００ｂに接する磁気ディスク６ａ，６ｂの高速回転により発生する空気の流れは、早い段階で層流から乱流に遷移し、遷移領域での流体の不安定な挙動がキャリッジアッセンブリ８（キャリッジアーム１３）に及ぼす影響を少なくすることができる。
【００４１】
なお、各ガイド部１００ａ，１００ｂの磁気ディスク６ａ，６ｂ側の面の突起は、図９に示すものに限るものではなく、図１０に示すような各種パターンが適用可能である。
【００４２】
［第３の実施の形態］
次に、本発明の第３の実施の形態を図１１および図１２に基づいて説明する。なお、前述した第１の実施の形態または第２の実施の形態と同じ部分は同じ符号で示し説明も省略する。
【００４３】
図１１は本発明の第３の実施の形態にかかるガイド壁１００を示す概観斜視図、図１２はガイド壁１００を取り付けた状態を示す斜視図である。図１１および図１２に示すように、本実施の形態のガイド壁１００の各ガイド部１００ａ，１００ｂにおいては、ディスク回転軸方向の幅を場所により変化させた構造となっている。
【００４４】
ガイド壁１００はキャリッジアッセンブリ８の挿入を妨げないようにしなければならないが、ガイド壁１００のディスク回転軸方向の幅は大きいほどガイド効果は高くなる。したがって、本実施の形態においては、磁気ヘッド部７が通過する部分aは各ガイド部１００ａ，１００ｂのディスク回転軸方向の幅を小さくし、キャリッジアーム１３が通過する部分ｂにおいては各ガイド部１００ａ，１００ｂのディスク回転軸方向の幅を大きくした。
【００４５】
これにより、磁気ディスク６ａ，６ｂの高速回転により発生する空気の流れは、より磁気ディスク６ａ，６ｂに沿った方向にガイドすることができるようになり、キャリッジアッセンブリ８を横切る流れをさらに低減することができる。
【００４６】
なお、この発明は上述した実施の形態に限定されることなく、この発明の範囲内で更に種々変形可能である。例えば、上述した各実施の形態においては、ディスクドライブ装置として磁気ディスクを駆動するハードディスクドライブ装置（ＨＤＤ）に適用したが、これに限るものではなく、他のディスクを駆動するディスクドライブ装置にも適用可能である。
【図面の簡単な説明】
【００４７】
【図１】本発明の第１の実施の形態にかかるＨＤＤの内部を示す平面図である。
【図２】ＨＤＤの内部構造を示す断面図である
【図３】ＨＤＤの概略平面図である。
【図４】ガイド壁を示す概観斜視図である。
【図５】ガイド壁を取り付けた状態を示す斜視図である。
【図６】図３のＡ−Ｂにおける断面図である。
【図７】図３のＡ−Ｂにおける断面図である。
【図８】図３のＡ−Ｂにおける断面図である。
【図９】本実施の形態にかかるガイド壁を示す斜視図である。
【図１０】ガイド壁の変形例を示す斜視図である。
【図１１】本発明の第３の実施の形態にかかるガイド壁を示す概観斜視図である。
【図１２】ガイド壁を取り付けた状態を示す斜視図である。
【符号の説明】
【００４８】
１      ディスクドライブ装置
２      ケース
３ａ    内壁
５      モータ
６ａ，６ｂ    ディスク
７      ヘッド部
９      キャリッジ駆動機構
１３    キャリッジアーム
１００ａ，１００ｂ    ガイド部
１００    ガイド壁
【図１】
2007164846.tif 000003
【図２】
2007164846.tif 000004
【図３】
2007164846.tif 000005
【図４】
2007164846.tif 000006
【図５】
2007164846.tif 000007
【図６】
2007164846.tif 000008
【図７】
2007164846.tif 000009
【図８】
2007164846.tif 000010
【図９】
2007164846.tif 000011
【図１０】
2007164846.tif 000012
【図１１】
2007164846.tif 000013
【図１２】
2007164846.tif 000014